(57)【要約】【課題】印刷装置に対して印刷処理を実行させる際に、印刷要求（印刷ジョブ）の一覧表示を行って表示されている印刷要求を選択して処理を指示することを可能とする場合に、印刷要求に対する意図しない処理指示を防止する。【解決手段】ジョブ進捗速度判定部３６は、ジョブ制御部３５から、それぞれの印刷ジョブの進捗状態に関する情報を受け取り、各印刷ジョブに基づく処理が完了する速さである進捗速度が設定値以上であるか否かを判定する。表示制御部３７は、ジョブ進捗速度判定部３６により進捗速度が設定値以上であると判定された場合、表示パネル２０上において表示されている操作ボタンを無効とするよう制御する。【選択図】図３
2013205900.tif 000002
【特許請求の範囲】
【請求項１】
印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を各印刷要求の処理状態とともに表示する表示手段と、
前記複数の印刷要求に基づく処理が完了する速さである進捗速度が設定値以上であるか否かを判定する判定手段と、
前記印刷要求の一覧において選択された印刷要求に対する処理を指示するための操作指示手段を前記表示手段に表示する際に、前記判定手段により進捗速度が設定値以上であると判定された場合、表示される操作指示手段を無効とするよう制御する表示制御手段と、
を備えた印刷制御装置。
【請求項２】
前記表示制御手段は、前記判定手段により進捗速度が設定値以上であると判定された場合においても、処理状態が、印刷処理を実行せずに印刷要求を留めておくことを示す保留中である印刷要求のみが前記表示手段において表示されている場合、前記表示手段において表示される操作指示手段を有効とするよう制御する請求項１記載の印刷制御装置。
【請求項３】
前記表示制御手段は、各印刷要求の印刷処理が開始されるまでの予測時間である印刷開始時間を前記表示手段において各印刷要求の処理状態とともに表示するよう制御し、前記判定手段により進捗速度が設定値以上であると判定された場合においても、印刷開始までに設定された時間以上の時間を要する印刷要求が選択されている場合、選択された印刷要求に対する操作を指示するための操作指示手段を有効とするよう制御する請求項１記載の印刷制御装置。
【請求項４】
印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を各印刷要求の処理状態とともに表示する表示手段と、
前記複数の印刷要求に基づく処理が完了する速さである進捗速度が設定値以上であるか否かを判定する判定手段と、
前記印刷要求の一覧において選択された印刷要求に対する処理を指示するための操作指示手段を前記表示手段に表示する際に、前記判定手段により進捗速度が設定値以上であると判定された場合、表示される操作指示手段を無効とするよう制御する表示制御手段と、
前記送信手段により送信されてきた印刷データに基づいた画像を印刷用紙上に出力する印刷装置と、
を備えた画像形成システム。
【請求項５】
受け付けた印刷要求に基づいて印刷用紙上に画像を出力するための印刷データを生成して印刷装置に送信するステップと、
受け付けた複数の印刷要求の一覧を、各印刷要求の処理状態とともに表示するステップと、
受け付けた複数の印刷要求に基づく処理が完了する速さである進捗速度が設定値以上であるか否かを判定するステップと、
前記印刷要求の一覧において選択された印刷要求に対する処理を指示するための操作指示手段を表示する際に、進捗速度が設定値以上であると判定された場合、表示される操作指示手段を無効とするよう制御するステップとをコンピュータに実行させるためのプログラム。
【発明の詳細な説明】
【技術分野】
【０００１】
本発明は、印刷制御装置、印刷システムおよびプログラムに関する。
【背景技術】
【０００２】
特許文献１には、選択候補が多数存在する場合でも、目的とする候補を容易に選択できるようにする候補選択用ユーザインタフェース装置が開示されている。
【０００３】
特許文献２には、操作者の身体的な特徴に合わせて操作し易いように表示内容を調整することができるタッチパネルユーザインタフェースが開示されている。
【先行技術文献】
【特許文献】
【０００４】
【特許文献１】特開平１０−２５４６１９号公報
【特許文献１】特開２００６−２６８３１３号公報
【発明の概要】
【発明が解決しようとする課題】
【０００５】
本発明の目的は、印刷装置に対して印刷処理を実行させる際に、印刷要求（印刷ジョブ）の一覧表示を行って表示されている印刷要求を選択して処理を指示することを可能とする場合に、印刷要求に対する意図しない処理指示を防止することが可能な印刷制御装置、印刷システムおよびプログラムを提供することである。
【課題を解決するための手段】
【０００６】
［印刷制御装置］
請求項１に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を各印刷要求の処理状態とともに表示する表示手段と、
前記複数の印刷要求に基づく処理が完了する速さである進捗速度が設定値以上であるか否かを判定する判定手段と、
前記印刷要求の一覧において選択された印刷要求に対する操作を指示するための操作指示手段を前記表示手段に表示する際に、前記判定手段により進捗速度が設定値以上であると判定された場合、表示される操作指示手段を無効とするよう制御する表示制御手段とを備えた印刷制御装置である。
【０００７】
請求項２に係る本発明では、前記表示制御手段は、前記判定手段により進捗速度が設定値以上であると判定された場合においても、処理状態が、印刷処理を実行せずに印刷要求を留めておくことを示す保留中である印刷要求のみが前記表示手段において表示されている場合、前記表示手段において表示される操作指示手段を有効とするよう制御する請求項１記載の印刷制御装置である。
【０００８】
請求項３に係る本発明では、前記表示制御手段は、各印刷要求の印刷処理が開始されるまでの予測時間である印刷開始時間を前記表示手段において各印刷要求の処理状態とともに表示するよう制御し、前記判定手段により進捗速度が設定値以上であると判定された場合においても、印刷開始までに設定された時間以上の時間を要する印刷要求が選択されている場合、選択された印刷要求に対する操作を指示するための操作指示手段を有効とするよう制御する請求項１記載の印刷制御装置である。
【０００９】
[印刷システム]
請求項４に係る本発明は、印刷要求を受け付ける受付手段と、
前記受付手段により受け付けられた印刷要求に基づいて印刷用紙上に画像を出力するための印刷データを生成する生成手段と、
前記生成手段により生成された印刷データを印刷装置に送信する送信手段と、
前記受付手段により受け付けられた複数の印刷要求の一覧を各印刷要求の処理状態とともに表示する表示手段と、
前記複数の印刷要求に基づく処理が完了する速さである進捗速度が設定値以上であるか否かを判定する判定手段と、
前記印刷要求の一覧において選択された印刷要求に対する操作を指示するための操作指示手段を前記表示手段に表示する際に、前記判定手段により進捗速度が設定値以上であると判定された場合、表示される操作指示手段を無効とするよう制御する表示制御手段と、
前記送信手段により送信されてきた印刷データに基づいた画像を印刷用紙上に出力する印刷装置とを備えた画像形成システムである。
【００１０】
[プログラム]
請求項５に係る本発明は、受け付けた印刷要求に基づいて印刷用紙上に画像を出力するための印刷データを生成して印刷装置に送信するステップと、
受け付けた複数の印刷要求の一覧を、各印刷要求の処理状態とともに表示するステップと、
受け付けた複数の印刷要求に基づく処理が完了する速さである進捗速度が設定値以上であるか否かを判定するステップと、
前記印刷要求の一覧において選択された印刷要求に対する操作を指示するための操作指示手段を表示する際に、進捗速度が設定値以上であると判定された場合、表示される操作指示手段を無効とするよう制御するステップとをコンピュータに実行させるためのプログラムである。
【発明の効果】
【００１１】
請求項１に係る本発明によれば、印刷装置に対して印刷処理を実行させる際に、印刷要求の一覧表示を行って表示されている印刷要求を選択して処理を指示することを可能とする場合に、印刷要求に対する意図しない処理指示を防止することが可能な印刷制御装置を提供することができる。
【００１２】
請求項２に係る本発明によれば、請求項１に係る発明により得られる効果に加えて、進捗速度が設定値以上であっても、操作指示手段を操作して処理状態が保留中に対する印刷要求に対する処理を指示することを可能とする印刷制御装置を提供することができる。
【００１３】
請求項３に係る本発明によれば、請求項１に係る発明により得られる効果に加えて、進捗速度が設定値以上であっても、印刷開始までの時間に余裕がある印刷要求に対する処理を指示することを可能とする印刷制御装置を提供することができる。
【００１４】
請求項４に係る本発明によれば、印刷装置に対して印刷処理を実行させる際に、印刷要求の一覧表示を行って表示されている印刷要求を選択して処理を指示することを可能とする場合に、印刷要求に対する意図しない処理指示を防止することが可能な印刷システムを提供することができる。
【００１５】
請求項５に係る本発明によれば、印刷装置に対して印刷処理を実行させる際に、印刷要求の一覧表示を行って表示されている印刷要求を選択して処理を指示することを可能とする場合に、印刷要求に対する意図しない処理指示を防止することが可能なプログラムを提供することができる。
【図面の簡単な説明】
【００１６】
【図１】本発明の一実施形態の印刷システムのシステム構成を示す図である。
【図２】本発明の一実施形態におけるコントローラ３０のハードウェア構成を示すブロック図である。
【図３】本発明の一実施形態におけるコントローラ３０の機能構成を示すブロック図である。
【図４】操作パネル２０上に表示される印刷ジョブの一覧表示の例を示す図である。
【図５】本発明の一実施形態における表示制御部３７が印刷ジョブの一覧表示を行う際の動作を示すフローチャートである。
【図６】表示制御部３７により操作ボタン４１〜４５の無効化が行われる様子を説明するための図である。
【図７】処理状態が保留中である印刷ジョブや印刷開始までに設定された時間以上の時間を要する印刷ジョブに対する操作については有効とするような制御が行われる場合の表示制御部３７の動作を説明するためのフローチャートである。
【図８】実行中の印刷ジョブ一覧表示が選択されていて、ジョブ進捗速度判定部３６により進捗速度が設定値以上であると判定された場合の表示例を示す図である。
【図９】保留中の印刷ジョブ一覧表示が選択されていて、ジョブ進捗速度判定部３６により進捗速度が設定値以上であると判定された場合の表示例を示す図である。
【図１０】コントローラ３０の内部で管理されている全ての印刷ジョブの処理状態のテーブルの一例を示す図である。
【図１１】印刷開始時間が設定時間以内の印刷ジョブが選択されている場合の表示例を示す図である。
【図１２】印刷開始時間が設定時間以上の印刷ジョブが選択されている場合の表示例を示す図である。
【発明を実施するための形態】
【００１７】
次に、本発明の実施の形態について図面を参照して詳細に説明する。
図１は本発明の一実施形態の印刷システムの構成を示すブロック図である。
【００１８】
本発明の一実施形態の印刷システムは、図１に示されるように、印刷ジョブを生成して出力するホストコンピュータ１０と、操作パネル２０と、コントローラ（印刷制御装置）３０と、連続紙に対する印刷処理を行う印刷装置４０とから構成されている。なお、本実施形態では、操作パネル２０をコントローラ３０とは独立した構成として説明しているが、操作パネル２０をコントローラ３０の構成要素として含めるようにしても良い。
【００１９】
次に、本実施形態の印刷システムにおけるコントローラ３０のハードウェア構成を図２に示す。
【００２０】
コントローラ３０は、図２に示されるように、ＣＰＵ１１、メモリ１２、ハードディスクドライブ（ＨＤＤ）等の記憶装置１３、ネットワークを介して外部の装置等との間でデータの送信及び受信を行う通信インタフェース（ＩＦ）１４を有する。これらの構成要素は、制御バス１５を介して互いに接続されている。
【００２１】
ＣＰＵ１１は、メモリ１２または記憶装置１３に格納された制御プログラムに基づいて所定の処理を実行して、コントローラ３０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２２】
図３は、上記の制御プログラムが実行されることにより実現されるコントローラ３０の機能構成を示すブロック図である。
【００２３】
本実施形態のコントローラ３０は、図３に示されるように、印刷ジョブ受付部３１と、印刷ジョブ格納部３２と、印刷データ生成部３３と、印刷データ送信部３４と、ジョブ制御部３５と、ジョブ進捗速度判定部３６と、表示制御部３７とを備えている。
【００２４】
印刷ジョブ受付部３１は、ホストコンピュータ４０から送信されてきた印刷ジョブ（印刷要求）を順次受け付ける。
【００２５】
印刷ジョブ格納部３２は、印刷ジョブ受付部３１により受け付けられた印刷ジョブを格納する。
【００２６】
印刷データ生成部３３は、印刷ジョブ受付部３１により受け付けられ、印刷ジョブ格納部３２に格納された印刷ジョブに基づいて印刷用紙上に画像を出力するための印刷データを生成する。具体的には、印刷データ生成部３３は、印刷ジョブ受付部３１により受け付けられた印刷ジョブに基づいて、ラスタ形式の画像データを印刷データとして生成する。
【００２７】
印刷データ送信部３４は、印刷データ生成部３３により生成された印刷データを印刷装置４０に対して送信する。そして、印刷装置４０では、印刷データ送信部３４により送信されてきた印刷データに基づいた画像を印刷用紙上に出力する。
【００２８】
ジョブ制御部３５は、印刷ジョブ受付部３１、印刷データ生成部３３、印刷送信部３４における印刷ジョブの処理を制御するとともにその進捗状態を監視している。
【００２９】
表示制御部３７は、印刷ジョブ受付部３１により受け付けられた複数の印刷ジョブの一覧を、各印刷ジョブの処理状態とともに操作パネル２０に表示させるような制御を行う。また、表示制御部３７は、この印刷ジョブの一覧において選択された印刷ジョブに対する各種処理を指示するための操作ボタン（操作指示手段）を操作パネル２０上に表示するような制御を行う。
【００３０】
この操作パネル２０上に表示される印刷ジョブの一覧表示および操作ボタンの例を図４に示す。この図４に示された印刷ジョブの一覧表示では、印刷ジョブ名と、その印刷ジョブの処理状態とは一覧で表示されている。例えば、ジョブ名が「ジョブ１００００１」という印刷ジョブの処理状態は「プリント中」であることが示されている。また、操作パネル２０上では、選択された印刷ジョブの取り消し、削除等を行うための各種操作ボタン４１〜４５が表示されている。図４に示す表示例では、ジョブ名が「ジョブ１００００４」という印刷ジョブの表示が白黒判定することにより、この印刷ジョブが選択されていることが示されている。
【００３１】
ここで、「プリント中」とは、生成された印刷データに基づく印刷処理が印刷装置４０において実行されている、つまり「印刷中」であることを示している。また、「プリント待ち」とは、印刷データは生成済みであり、印刷装置４０における印刷処理の待機状態であることを示している。また、「処理中」とは、受け付けられた印刷ジョブに基づいて、印刷データ生成部３３において印刷データを生成している最中である状態を示している。また、「処理待ち」とは、これから印刷データ生成部３３において印刷データを生成する状態、つまり印刷ジョブ格納部３２に格納されている状態を示している。また、図４には示されていないが、処理状態には「保留中」という表示がされる場合もあり、この「保留中」とは、印刷処理を実行せずに印刷ジョブをそのまま留めておくことが指定された状態であることを示している。
【００３２】
また、操作パネル２０上に表示された操作ボタン４１〜４５のうち、「取消」と表示された操作ボタン４１は、選択された印刷ジョブの印刷処理を中止する処理を指示するためのものである。また、「削除」と表示された操作ボタン４２は、選択された印刷ジョブを削除する処理を指示するためのものである。なお、「取消」ボタンにより印刷処理が中止された印刷ジョブについては履歴にその旨が残るが、削除された印刷ジョブについては履歴にも残らず完全に削除される。そして、「優先」と表示された操作ボタン４３は、選択された印刷ジョブを他の印刷ジョブよりも優先して印刷処理を実行する処理を指示するためのものである。また、「保留」と表示された操作ボタン４４は、選択された印刷ジョブの印刷処理を中止してそのまま留めておく処理を指示するためのものである。この「保留」ボタンにより保留が指示された印刷ジョブについては処理状態が「保留中」と表示されることとなる。そして、「属性表示」と表示された操作ボタン４５は、選択された印刷ジョブについての属性情報の表示を指示するためのものである。
【００３３】
ジョブ進捗速度判定部３６は、ジョブ制御部３５から、それぞれの印刷ジョブの進捗状態に関する情報を受け取り、各印刷ジョブに基づく処理が完了する速さである進捗速度が設定値以上であるか否かを判定する。例えば、ジョブ進捗速度判定部３６は、６０秒間に印刷処理が完了した印刷ジョブの数が１５以上の場合には、進捗速度が設定値以上であり速いと判定し、６０秒間に印刷処理が完了した印刷ジョブの数が１４以下の場合には、進捗速度が設定値以下であり遅いと判定する。
【００３４】
そして、表示制御部３７は、ジョブ進捗速度判定部３６により進捗速度が設定値以上であると判定された場合、表示パネル２０上において表示されている操作ボタン４１〜４５を無効とするよう制御する。
【００３５】
ただし、表示制御部３７は、ジョブ進捗速度判定部３６により印刷ジョブの進捗速度が設定値以上であると判定された場合においても、処理状態が保留中である印刷ジョブのみが操作パネル２０において表示されている場合、表示される操作ボタン４１〜４５を有効とするよう制御するようにしても良い。
【００３６】
また、表示制御部３７は、各印刷ジョブの印刷処理が開始されるまでの予測時間である印刷開始時間を操作パネル２０において各印刷ジョブの処理状態とともに表示するよう制御し、ジョブ進捗速度判定部３６により印刷ジョブの進捗速度が設定値以上であると判定された場合においても、印刷開始までに設定された時間以上の時間を要する印刷ジョブが選択されている場合、操作ボタン４１〜４５を有効とするよう制御するようにしても良い。
【００３７】
次に、本実施形態のコントローラ３０における動作を図面を参照して詳細に説明する。
【００３８】
図５は、本実施形態における表示制御部３７が印刷ジョブの一覧表示を行う際の動作を示すフローチャートである。
【００３９】
先ず、ホストコンピュータ１０から印刷ジョブが送信されてきて印刷ジョブ受付部３１により受信されると、ジョブ制御部３５は、印刷データ生成部３３等を制御して受信された印刷ジョブの処理を開始する（ステップＳ１０１）。
【００４０】
すると、ジョブ進捗速度判定部３６は、ジョブ制御部３５から、それぞれの印刷ジョブの進捗状態に関する情報を受け取り、各印刷ジョブに基づく処理が完了する速さである進捗速度が設定値以上であるか否かを判定する（ステップＳ１０２）。
【００４１】
ステップＳ１０２において、進捗速度が設定値以上であると判定された場合（ステップＳ１０２においてｙｅｓ）、表示制御部３７は、印刷ジョブに対する処理を指示するための操作ボタン４１〜４５を無効可にする（ステップＳ１０３）。
【００４２】
また、ステップＳ１０２において、進捗速度が設定値未満であると判定された場合（ステップＳ１０２においてｎｏ）、表示制御部３７は、印刷ジョブに対する処理を指示するための操作ボタン４１〜４５を有効可にする（ステップＳ１０４）。
【００４３】
そして、未処理の印刷ジョブがある場合には、ステップＳ１０２〜Ｓ１０４の処理が繰り返される（ステップＳ１０５）。そして、全ての印刷ジョブの処理が終了すると（ステップＳ１０５においてｎｏ）、表示制御部３７は、ジョブ一覧表示を空にして処理を終了する（ステップＳ１０６）。
【００４４】
次に、表示制御部３７により操作ボタン４１〜４５の無効化が行われる様子を図６を参照して説明する。
【００４５】
図６に示す表示例では、例えば印刷速度が２５００ページ／分のような高速印刷が可能な連続紙プリンタの印刷処理を制御する際に、印刷ジョブの一覧表示を表示した場合が示されている。
【００４６】
印刷ジョブの一覧表示が行われる際には、印刷処理が完了した印刷ジョブは一覧表示上から逐次消えていくため、処理の進捗に伴って一覧表示の表示内容はスクロールする。その結果、例えば印刷速度が２５００ページ／分のような高速印刷が可能な連続紙プリンタの印刷処理を制御する際の一覧表示では、表示内容が視認不可能な速度でスクロールする。
【００４７】
例えば、１つの印刷ジョブが１ページからなる多数の印刷ジョブの印刷処理を行う場合、印刷速度が２５００ページ／分（≒４２ページ／秒）の高速連続紙プリンタで印刷処理を行うと、１秒間に４０以上の印刷ジョブの処理が完了することになる。そのため、このような進捗速度が速い場合に印刷ジョブの一覧表示において印刷ジョブを選択して、操作できるようにすると誤操作が発生する可能性がある。
【００４８】
しかし、本実施形態の印刷システムにおけるコントローラ３０では、このような印刷処理の進捗速度が速い場合には、図６に示すように操作パネル２０内に表示されている操作ボタン４１〜４５は無効化される。なお、この図６では、「取消」、「削除」等の文字の濃度が薄くなるような表示が行われることにより、各操作ボタン４１〜４５が操作されても受け付けない状態である無効化状態であることが示されている。また、この図６に示した例では、「高速動作中のためジョブ操作はできません。」という注意書きが表示されていることによりユーザは操作ボタン４１〜４５が無効化されていることを知ることが可能となる。
【００４９】
なお、上記でも述べたように、表示制御部３７は、ジョブ進捗速度判定部３６により進捗速度が設定値以上であると判定された場合に、全ての印刷ジョブに対する操作を無効化するのではなく、処理状態が保留中である印刷ジョブや印刷開始時間が設定された時間以上の印刷ジョブに対する操作については有効とするようにしても良い。
【００５０】
このような制御が行われる場合の表示制御部３７の動作を図７のフローチャートを参照して説明する。
【００５１】
この図７に示すフローチャートは、図５に示したフローチャートに対して、ステップＳ２０１、Ｓ２０２の処理を追加したものであるため、他のステップについての説明は省略する。
【００５２】
表示制御部３７は、進捗速度が設定値以上であると判定された場合（ステップＳ１０２においてｙｅｓ）においても、処理状態が保留中の印刷ジョブのみが表示されている場合（ステップＳ２０１においてｙｅｓ）、または選択された印刷ジョブの印刷開始時間が設定された時間以上（例えば、６０秒以上）である場合（ステップＳ２０２においてｙｅｓ）には、印刷ジョブに対する処理を指示するための操作ボタン４１〜４５を有効にする（ステップＳ１０４）。
【００５３】
このような制御が行われる場合の操作パネル２０における表示例を図面を参照して説明する。
【００５４】
先ず、処理状態が保留中の印刷ジョブのみが表示されている場合に、印刷ジョブに対する処理を指示するための操作ボタン４１〜４５を有効にする際の表示例を図８、図９を参照して説明する。
【００５５】
図８、図９では、保留中の印刷ジョブの一覧表示と、保留中ではない実行中の印刷ジョブの一覧表示をタブにより切り替え可能とした場合の表示例が示されている。
【００５６】
そして、図８では、実行中の印刷ジョブ一覧表示が選択されていて、ジョブ進捗速度判定部３６により進捗速度が設定値以上であると判定された場合の表示例が示されている。そのため、この図８では、操作ボタン４１〜４５は無効化されている。
【００５７】
これに対して、図９では、保留中の印刷ジョブ一覧表示が選択されているため、ジョブ進捗速度判定部３６により進捗速度が設定値以上であると判定された場合でも操作ボタン４１〜４５が有効となるように設定されている。そのため、例えば、ジョブ名が「ジョブ１０１８７７」という印刷ジョブを選択して、操作ボタン４１〜４５により各種処理を指示することが可能となっている。
【００５８】
次に、選択された印刷ジョブの印刷開始時間が設定された時間以上である場合に、印刷ジョブに対する処理を指示するための操作ボタン４１〜４５を有効にする際の表示例を図１０〜図１２を参照して説明する。
【００５９】
図１０は、コントローラ３０の内部で管理されている全ての印刷ジョブの処理状態のテーブルの一例を示す図である。この図１０では、印刷ジョブ名と、その印刷処理状態とともに、印刷開始時間が示されている。この印刷開始時間は、その印刷ジョブの印刷処理が開始されるまでの予測時間である。
【００６０】
ここでは、印刷開始時間が６０秒以上の印刷ジョブについては、進捗速度が設定値以上であると判定された場合でも操作ボタン４１〜４５による操作を可能とし、印刷開始時間が６０秒未満の印刷ジョブについては、操作ボタン４１〜４５による操作をできないようにする場合を用いて説明する。
【００６１】
この図１０に示すようなテーブルに基づいて印刷ジョブの一覧表示を行った場合の表示例を図１１、図１２に示す。図１１、図１２では、一覧表示の横にスクロールバーが設けられていて、このスクロールバーを操作することにより表示される印刷ジョブを動かすことが可能となっている。
【００６２】
そして、図１１では、ジョブ名が「ジョブ１００００４」という印刷ジョブが選択されているが、この印刷ジョブの印刷開始時間は０．２秒後となっている。そのため、図１１では、操作ボタン４１〜４５は無効化され、この「ジョブ１００００４」という印刷ジョブに対する操作を行うことはできなくなっている。
【００６３】
しかし、図１２では、ジョブ名が「ジョブ１２０００６」という印刷ジョブが選択されているが、この印刷ジョブの印刷開始時間は６０．２秒後となっている。そのため、図１２では、操作ボタン４１〜４５は有効化され、この「ジョブ１２０００６」という印刷ジョブに対する操作を行うこができるようになっている。
【符号の説明】
【００６４】
１０    ホストコンピュータ
１１    ＣＰＵ
１２    メモリ
１３    記憶装置
１４    通信インタフェース（ＩＦ）
１５    制御バス
２０    操作パネル
３０    コントローラ
３１    印刷ジョブ受付部
３２    印刷ジョブ格納部
３３    印刷データ生成部
３４    印刷データ送信部
３５    ジョブ制御部
３６    ジョブ進捗速度判定部
３７    表示制御部
４０    印刷装置
４１〜４５  操作ボタン
【図２】
2013205900.tif 000003
【図５】
2013205900.tif 000004
【図７】
2013205900.tif 000005
【図１０】
2013205900.tif 000006
【図１】
2013205900.tif 000007
【図３】
2013205900.tif 000008
【図４】
2013205900.tif 000009
【図６】
2013205900.tif 000010
【図８】
2013205900.tif 000011
【図９】
2013205900.tif 000012
【図１１】
2013205900.tif 000013
【図１２】
2013205900.tif 000014